(57)【要約】【課題】  液晶表示器の表示内容を良好に視認することができるようにした液晶表示装置を提供するものである。【解決手段】  偏光板２ｃ，２ｄを前面側と背面側とに設けた液晶表示器２を収納するケーシング６と、ケーシング６の前面開口部を覆う合成樹脂製の透視板７とを備えた液晶表示装置１において、透視板７にはケーシング６の前面開口部の先端部外側を囲むように側壁７ａを設け、その側壁７ａには液晶表示器２を視認する領域から離れた箇所に透視板７の樹脂成形時におけるゲート口７ｃを設けてなることにより、偏光メガネ越しに液晶表示器２の表示内容を見たとしても、透視板７の側壁７ａ箇所にゲート口７ｃを設けることによって、ゲート口７ｃから離れた箇所では成形による屈折率異方性を持たないため光が通過することとなり、液晶表示器２の表示内容を良好に視認することができる。【選択図】  図３
2011064840.tif 000002
【特許請求の範囲】
【請求項１】
偏光板を前面側と背面側とに設けた液晶表示器と、この液晶表示器を収納するケーシングと、このケーシングの前面開口部を覆いつつ前記液晶表示器の表示部領域を視認するために設けられた合成樹脂製の透視板とを備えた液晶表示装置において、前記透視板には前記ケーシングの前面開口部の先端部外側を囲むように前記液晶表示器を視認する領域から連続して側壁を設けるとともに、その側壁には前記液晶表示器を視認する領域から離れた箇所に前記透視板の樹脂成形時におけるゲート口を設けてなることを特徴とする液晶表示装置。
【請求項２】
前記側壁には前記液晶表示器を視認する領域から遠方に位置した箇所に突出部を設け、この突出部箇所に前記透視板の樹脂成形時における前記ゲート口を設けてなることを特徴とする請求項１に記載の液晶表示装置。
【請求項３】
前記ゲート口が設けられた前記側壁から突出する前記突出部の形状は、前記ゲート口を基点として末広がり状の略台形形状に形成してなることを特徴とする請求項２に記載の液晶表示装置。
【請求項４】
前記側壁の端面箇所に対向して前記ケーシングから一体に防塵用リブを突設してなることを特徴とする請求項１から請求項３のいずれかに記載の液晶表示装置。
【請求項５】
前記透視板を着色して成形してなることを特徴とする請求項１から請求項４のいずれかに記載の液晶表示装置。
【請求項６】
前記透視板の前面側である前記液晶表示器を視認する領域を円弧状の曲面形状に形成してなることを特徴とする請求項１から請求項５のいずれかに記載の液晶表示装置。
【発明の詳細な説明】
【技術分野】
【０００１】
本発明は、例えば建設機械などの特殊車輌や船舶、あるいは自動車等に搭載され、光源からの照射光線で液晶表示器を照明表示する液晶表示装置に関するものである。
【背景技術】
【０００２】
従来、自動車などの液晶表示装置として、一対のガラス基板間に液晶を封入し、そのガラス基板の前面側と後面側とに設けた偏光板とによって形成された液晶表示器と、この液晶表示器を駆動する駆動回路を実装した回路基板と、この回路基板上に実装され前記液晶表示器を照明表示する光源と、前記液晶表示器と前記光源とを収納するケーシングと、このケーシングの前面開口部を覆いつつ前記液晶表示器を保護しケーシング内部に外部から塵埃などが侵入することを防ぎつつ液晶表示器を良好に視認することができるように設けられた合成樹脂製の透視板とを備えた液晶表示装置が知られている。（たとえば、特許文献１参照、特許文献２参照）
【０００３】
このような合成樹脂製の透視板には、一般的には強度的に優れ、しかも成形時において複雑な形状であったとしても簡単に成形することができるという利点がありた例えば透過性を有するポリカーボネート樹脂やアクリル樹脂などを使用している。この場合、ケーシングの前面側を覆う透視板を合成樹脂材料によって複雑な形状であったとしても簡単に成形することができるという利点がある。またポリカーボネート樹脂やアクリル樹脂などを用いることによって観察者が偏光メガネをかけた場合であっても、液晶表示器２の前面側に偏光特性を緩和させる偏光特性緩和板となる高分子材料による透視板（合成樹脂製基板）によって実用上必要な液晶表示器の表示内容を良好に視認することができるということが知られている。
【０００４】
【特許文献１】実開平４−６５３１９号公報
【特許文献２】特開平１０−２１４０３６号公報
【発明の開示】
【発明が解決しようとする課題】
【０００５】
前述の特許文献１や特許文献２の液晶表示装置にあっては、液晶表示装置の前面側に配設される保護カバー（透視板）において、保護カバーである透視板の樹脂成形時において、ゲート口付近においては樹脂分子の配向方向が不均一となる領域が発生することがあるため、偏光メガネ越しに液晶表示部の可視範囲内に出てくることがあり、偏光メガネ越しに液晶表示器を見ると成形応力による分子配向方向の乱れが可視範囲に存在した場合に黒い影が部分的に発生することがあり、表示の読み取りが不可能となることがある。すなわち、ゲート口付近が成形によって生じた成形応力部によって屈折率に異方性を持つようになり、この結果、偏光メガネ越しに見た場合偏光メガネの偏光軸と直交する方向と重なった箇所が部分的に黒く見えてしまう箇所が発生することがある。
【０００６】
そこで本発明は、保護カバーである透視板の樹脂成形時の際に、液晶表示器を視認する領域から遠方に位置した箇所に透視板の樹脂成形時におけるゲート口を設けてなることにより、液晶表示器の表示内容を良好に視認することができるようにした液晶表示装置を提供するものである。
【課題を解決するための手段】
【０００７】
本発明は前述した課題を解決するため、請求項１では、液晶を一対のガラス基板間に封入しそのガラス基板の前面側と背面側とに偏光板を設けた液晶表示器と、この液晶表示器を収納するケーシングと、このケーシングの前面開口部を覆いつつ前記液晶表示器の表示部領域を視認するために設けられた合成樹脂製の透視板とを備えた液晶表示装置において、前記透視板には前記ケーシングの前面開口部の先端部外側を囲むように前記液晶表示器を視認する領域から連続して側壁を設けるとともに、その側壁には前記液晶表示器を視認する領域から離れた箇所に前記透視板の樹脂成形時におけるゲート口を設けてなることを特徴とする液晶表示装置である。
【０００８】
このように構成することにより、偏光メガネ越しに液晶表示装置の表示内容を見たとしても、液晶表示部の可視範囲内からかけ離れた透視板の側壁箇所にゲート口を設けることによって、ゲート口付近のみが成形によって生じた成形応力によって屈折率に異方性を持つようになり、この結果、偏光メガネ越しに見た場合偏光メガネの偏光軸と直交する方向と重なった箇所である透視板の側壁部分のみが部分的に黒く見えてしまう箇所が発生するが、それ以外のゲート口から離れた箇所では成形による屈折率異方性を持たないため（方向性の制限がない）光が通過することとなり、偏光メガネ越しに見たとしも液晶表示器の表示内容を良好に視認することができる。
【０００９】
また請求項２では、請求項１に記載の液晶表示装置において、前記側壁には前記液晶表示器を視認する領域から遠方に位置した箇所に突出部を設け、この突出部箇所に前記透視板の樹脂成形時における前記ゲート口を設けてなることを特徴とするものである。
【００１０】
このように液晶表示器を視認する領域から遠方に位置した箇所に突出部を設け、この突出部箇所に透視板の樹脂成形時におけるゲート口を設けることによって、偏光メガネ越しに見た場合、偏光メガネの偏光軸と直交する方向と重なった箇所である透視板の側壁から突出した突出部箇所と側壁の一部分のみが部分的に黒く見えてしまう箇所として発生するが、それ以外のゲート口から離れた箇所である透視板の前面側では成形による屈折率異方性を持たないため（方向性の制限がない）光が通過することとなり、偏光メガネ越しに見たとしも液晶表示器の表示内容を良好に視認することができる。
【００１１】
また請求項３では、請求項２に記載の液晶表示装置において、前記ゲート口が設けられた前記側壁から突出する前記突出部の形状は、前記ゲート口を基点として末広がり状の略台形形状に形成してなることを特徴とするものである。
【００１２】
このように、透視板の側壁の形状をゲート口箇所を基点として末広がり状の略台形形状に形成することによって、合成樹脂材料の成形時における樹脂流動性を良好にすることが可能となり、この結果、樹脂成形時における成形応力を緩和することができ、成形応力によって屈折率に異方性を持つ領域を狭くなるようにすることが可能となり、偏光メガネ越しに見た場合偏光メガネの偏光軸と直交する方向と重なった箇所である透視板の側壁部分の狭い領域のみが部分的に黒く見えてしまう箇所となる。これにより液晶表示器の前面側に位置した透視板箇所では成形による屈折率異方性を持たないため（方向性の制限がない）光が通過することとなり液晶表示器の表示内容を良好に視認することができる。
【００１３】
また請求項４では、請求項１から請求項３のいずれかに記載の液晶表示装置において、前記側壁の端面箇所に対向して前記ケーシングから一体に防塵用リブを突設してなることを特徴とするものである。
【００１４】
このようにケーシングから一体に防塵用リブを透視板の側壁の端面箇所に対向して設けることにより、透視板に設けられた側壁とケーシングとの境目となる隙間部分から入り込もうとする塵埃などを防ぐことができる。
【００１５】
また請求項５では、請求項１から請求項４のいずれかに記載の液晶表示装置において、前記透視板を着色して成形してなることを特徴とするものである。
【００１６】
このように構成することにより、透視板を介して透過される液晶表示装置の表示部の色合いが透視板の色合いにて全体が透過照明されるため、透視板に対して奥まった位置に液晶表示装置が配置されることとなり、奥行き感や立体感を強調することが可能となる。
【００１７】
また請求項６では、請求項１から請求項５のいずれかに記載の液晶表示装置において、前記透視板の前面側である前記液晶表示器を視認する領域を円弧状の曲面形状に形成してなることを特徴とするものである。
【００１８】
このように構成することにより、外来から入射する光線が反射したとしても観察者の視線方向に反射導光される光線を透視板の前面側である表面を円弧状の曲面形状に形成することによって視線方向以外に導くことが可能となり、幻惑されることなく見やすい液晶表示装置を提供することができる。
【発明の効果】
【００１９】
以上、本発明により、初期の目的を達成することができ、偏光メガネ越しに液晶表示装置の表示内容を見たとしても、液晶表示部の可視範囲内からかけ離れた透視板の側壁箇所にゲート口を設けることによって、ゲート口から離れた箇所では成形による屈折率異方性を持たないため（方向性の制限がない）光が通過することとなり、偏光メガネ越しに見たとしも液晶表示器の表示内容を良好に視認することができる。
【図面の簡単な説明】
【００２０】
【図１】図１は、本発明の第１実施例である液晶表示装置を示す全体斜視図。
【図２】図２は、図１のゲート口箇所を示す液晶表示装置の平面図。
【図３】図３は、図１の要部を示す拡大断面図。
【図４】図４は、本発明の第２実施例である液晶表示装置を示す全体斜視図。
【図５】図５は、図４のゲート口箇所を示す液晶表示装置の平面図。
【図６】図６は、図４の要部を示す拡大断面図。
【図７】図７は、透視板に設けられたゲート口箇所を示す要部拡大斜視図。
【発明を実施するための最良の形態】
【００２１】
本発明の対象とする液晶表示装置として、車両用に適用された液晶表示装置を例にして詳述する。以下本発明の実施例を添付図面に基づいて説明する。
【実施例１】
【００２２】
図１から図３は本発明の第１実施例を示すもので、本実施例の液晶表示装置１は、一対のガラス基板２ａ、２ｂ間に液晶を封入し、そのガラス基板２ａ，２ｂの前面側と後面側とに設けた偏光板２ｃ，２ｄとによって形成された液晶表示器２と、この液晶表示器２を駆動する駆動回路３ａを実装した回路基板３と、この回路基板３上に実装され液晶表示器２を照明表示する発光ダイオードなどからなる光源４と、液晶表示器２と回路基板３とを保持するホルダー５と、液晶表示器２，回路基板３およびホルダー５とを収納するケーシング６と、このケーシング６の前面開口部を覆いつつ液晶表示器２の前面側に配した偏光板２ｃを保護しケーシング６内部に外部から塵埃などの侵入を防ぎつつ液晶表示器２の表示部領域を視認する領域が設けられた例えばアクリル樹脂からなる透視板７とを備えている。
【００２３】
なお、本実施例におけるケーシング６として、液晶表示器２，回路基板３およびホルダー５とを収納するケーシング部材６０と、このケーシング部材６０の前面側に配置され液晶表示器２の表示部領域を視認するための開口部６１ａが設けられたフード状のケーシング部材６１とによって構成されており、このケーシング６の一部を構成するフード状のケーシング部材６１の前面側には前述したアクリル樹脂からなる透視板７が設けられている。
【００２４】
また、透視板７には、ケーシング６（フード状のケーシング部材６１）の前面開口部の先端部外側を囲むように液晶表示器２を視認する領域から連続してほぼ直交する方向に延びた側壁７ａが設けられ、その側壁７ａには液晶表示器２を視認する領域から遠方に位置した箇所に突出部７ｂを設け、その突出部７ｂ箇所に透視板７の樹脂成形時におけるゲート口７ｃが設けられている。
【００２５】
この実施例では、図１や図２に示すようにゲート口７ｃが設けられた側壁７ａの突出部７ｂの形状としてゲート口７ｃを基点としてほぼ末広がり状の略台形形状に形成されている。
【００２６】
また、透視板７の前面側である液晶表示器２を視認する領域は、観察者が液晶表示器２を表面側から視認した際に幻惑することのないように円弧状の曲面形状Ｒに形成されている。
【００２７】
またケーシング６の一部を構成するフード状のケーシング部材６１と透視板７との間から塵埃などが侵入しないようにするために、ケーシング部材６１には透視板７の側壁７ａの端面箇所と対向する箇所に防塵用リブ６１ｂが一体に突設されている。
【００２８】
このように構成された第１実施例における液晶表示装置にあっては、光源４からの光によって液晶表示器２の表示内容（表示情報）が背後から透過照明されて照らし出される。この際、透視板７のゲート口７ｃから離れた箇所である透視板７の前面側では成形による屈折率異方性を持たないため（方向性の制限がない）光がそのまま通過することとなり、偏光メガネ越しに見たとしても液晶表示器２の表示内容を良好に視認することができる。
【００２９】
すなわち、偏光メガネ越しに液晶表示器２の表示内容を確認しようとした場合、液晶表示器２の可視範囲内からかけ離れた透視板７の側壁７ａ箇所である突出部７ｂ箇所にゲート口７ｃを設けることによって、ゲート口７ｃ付近のみが成形によって生じた成形応力によって屈折率に異方性を持つようになり、この結果、偏光メガネ越しに見た場合偏光メガネの偏光軸と直交する方向と重なった箇所である透視板７の突出部７ｂおよび側壁７ａ部分のみが部分的に黒く見えてしまう領域として存在する。しかしながら、それ以外のゲート口７ｃから離れた箇所である液晶表示器２を視認する領域である透視板７の前面側では前述したように成形による屈折率異方性を持たないため（方向性の制限がない）光がそのまま通過することとなり、偏光メガネ越しに見たとしても液晶表示器２の表示内容を良好に判読することができる。
【００３０】
また本実施形態においては、ゲート口７ｃが設けられた側壁７ａから突き出し形成された突出部７ｂの形状は、ゲート口７ｃを基点として末広がり状の略台形形状に形成している。これにより、透視板７の側壁７ａの突出部７ｂ形状をゲート口７ｃ箇所を基点として末広がり状の略台形形状に形成することによって、合成樹脂材料の成形時における樹脂流動性を良好にすることが可能となり、この結果、樹脂成形時における成形応力を緩和することができ、成形応力によって屈折率に異方性を持つ領域を狭くなるようにすることが可能となる。
【００３１】
すなわち、ゲート口７ｃの周りの形状を末広がりの略台形形状とすることにより、樹脂成形時における成形応力が加わっている領域を小さく抑えることができ、偏光メガネ越しに見た場合、黒く見える箇所としては、偏光メガネの偏光軸と直交する方向と重なった箇所である透視板７の側壁７ａ部分の狭い領域（成形時における成形応力が加わっている領域）のみが部分的に黒く見えてしまう箇所であるため、これにより側壁７ａの奥行き寸法も抑えることが可能となる。
【００３２】
また、透視板７の前面側である液晶表示器２を視認する領域は、観察者が液晶表示器２を表面側から視認した際に幻惑することのないように円弧状の曲面形状Ｒに形成されているため、外光が外部から液晶表示器２の前面側に差し込んだとしても、透視板７を円弧状からなる曲面形状Ｒにより透視板７を反射した光線が視線方向へと戻ってくることなく横方向（視線方向以外）に反射されるため、幻惑されることなく液晶表示器２の表示内容を良好に確認することができる。
【００３３】
また、ケーシング６には透視板７の側壁７ａの端面箇所と対向する箇所に防塵用リブ６１ｂが一体に突設されているため、透視板７の側壁７ａの端部側から塵埃などが侵入しようとしたとしても、ケーシング６から立ち上がり形成された防塵用リブ６１ｂによって遮断することができる。
【００３４】
すなわち、フード状のケーシング部材６１から一体に防塵用リブ６１ｂを透視板７の側壁７ａの端面箇所に対向して設けることにより、透視板７に設けられた側壁７ａとケーシング部材６１との境目となる隙間部分から入り込もうとする塵埃などを未然に防ぐことができる。
【実施例２】
【００３５】
図４から図７は本発明の第２実施例を示すもので、前述して第１実施例と同一部分、均等箇所については同一符号を付して説明する。
【００３６】
同図において、第１実施例とほぼ同様にして、液晶表示装置１は、液晶表示器２，光源４を実装した回路基板３およびホルダー５とをケーシング６内に収納し、このケーシング６の前面開口部を覆いつつ液晶表示器２の前面側に配した偏光板２ｃを保護しケーシング６内部に外部から塵埃などの侵入を防ぎつつ液晶表示器２の表示部領域を視認する領域が設けられた例えばアクリル樹脂からなる透視板７０とを備えている。
【００３７】
本実施例におけるケーシング６として、液晶表示器２，回路基板３およびホルダー５とを収納するケーシング部材６００と、このケーシング部材６００に収納された液晶表示器２の前面側に配置され液晶表示器２の表示領域外とケーシング部材６００の内壁部側との隙間箇所を塞ぎつつ液晶表示器２の表示部領域を視認するための開口部６１０ａが設けられた枠状のケーシング部材６１０とによって構成されており、ケーシング６の一部を構成するケーシング部材６００の前面側には前述したアクリル樹脂からなる透視板７０が設けられている。
【００３８】
またケーシング部材６００と透視板７０との間から塵埃などが侵入しないようにするために、ケーシング部材６００には透視板７０の側壁７０ａの端面箇所と対向する箇所に防塵用リブ６００ａが一体に突設されている。
【００３９】
また本実施例においても前述した第１実施例とほぼ同様にして、ゲート口７０ｃが設けられた側壁７０ａから突き出し形成された突出部７０ｂの形状としてゲート口７０ｃを基点としてほぼ末広がり状の略台形形状に形成されているものであり、加えて、この実施例にあっては、ゲート口７０ｃの肉厚寸法を中央部分が肉薄部Ｔ１として形成され、ほぼ末広がり状の略台形形状の両端部側が肉厚部Ｔ２として形成されている。（図７を参照）
【００４０】
また、本実施例では、透視板７０を黒色系のあるいはブラウン系の顔料を混ぜ合わせて成形することによって透視板７０自体が所定の色合いにて着色して成形される。
【００４１】
上記構成からなる第２実施例における液晶表示装置１にあっては、第１実施例とほぼ同様にして、光源４からの光によって液晶表示器２の表示内容（表示情報）が背後から透過照明されて照らし出されるものであり、透視板７０のゲート口７０ｃから離れた箇所である透視板７０の前面側では成形による屈折率異方性を持たないため（方向性の制限がない）光がそのまま通過することとなり、偏光メガネ越しに見たとしても液晶表示器２の表示内容を良好に視認することができる。
【００４２】
また本実施形態においては、ゲート口７０ｃが設けられた側壁７０ａから突き出し形成された突出部７０ｂの形状としては、ゲート口７０ｃを基点として末広がり状の略台形形状に形成されるとともに、ゲート口７０ｃの肉厚寸法を中央部分が肉薄部Ｔ１として形成され、末広がり状の略台形形状の両端部側が肉厚部Ｔ２として形成されているため、前述した第１実施例とほぼ同様にしてゲート口７０ｃ箇所を基点として末広がり状の略台形形状に形成することによって、合成樹脂材料の成形時における樹脂流動性を良好にすることが可能となり、この結果、樹脂成形時における成形応力を緩和することができ、成形応力によって屈折率に異方性を持つ領域を狭くなるようにすることが可能となり、加えて、ゲート口７０ｃの肉厚寸法として中央部分を肉薄部Ｔ１、両端部側を肉厚部Ｔ２として形成することにより、樹脂の成形時の流れを中央部の流れに対して両サイド側の流れを高めることによって透視板７全体に行き渡る樹脂成形時の流れを均等化することが可能となる。
【００４３】
従って、合成樹脂材料の成形時における樹脂流動性を良好にし、しかも樹脂成形時の流れを均等化することが可能となり、この結果、成形応力を緩和することができ、樹脂分子の配向方向が不均一になる領域を狭くなるようにすることが可能となり、これにより液晶表示器の偏光板の偏光軸方向に対して適正な配向方向による樹脂の成形時における分子配向方向の領域を広げることができる。
【００４４】
また、透視板７０を黒色系のあるいはブラウン系の顔料を混ぜ合わせて成形することによって透視板７０自体が所定の色合いにて着色してなることにより、透視板７０を介して透過される液晶表示器２の表示部の色合いが透視板７０の色合いにて全体が透過照明されるため、透視板７０に対して奥まった位置に液晶表示器２が配置されているように視認されるため、奥行き感や立体感を強調することが可能となる。加えて、液晶表示器２の外周部分を覆う枠状のケーシング部材６１０は着色された透視板７０を介して視認することとなるため、背景が暗く見え液晶表示器２のみが浮き上がって見える状態となり、見栄えの良好な液晶表示装置１を提供することができる。
【００４５】
また、前述した第１実施例と同様にして、透視板７０を円弧状からなる曲面形状Ｒに形成することにより、透視板７０を反射した光線が視線方向へと戻ってくることなく視線方向以外である横方向に反射されるため、液晶表示器２の表示内容を良好に確認することができるものであり、またケーシング６００には透視板７０の側壁７０ａの端面箇所と対向する箇所に防塵用リブ６００ａが一体に突設されているため、透視板７０の側壁７０ａの端部側から塵埃などが侵入しようとしたとしても、ケーシング部材６００から立ち上がり形成された防塵用リブ６００ａによって遮断することができる。
【００４６】
なお本発明は、前述した実施例に限定されるものではなく本発明の要旨の範囲内において種々の変形実施が可能であり、例えば前述した各実施例では、透視板７，７０の上側に位置した側壁７ａ，７０ａ箇所から突き出し形成された突出部７ｂ，７０ｂとして略台形形状に突き出し形成していたが、略台形形状に限らず円弧状の突出部であってもよいものであり、その突出部箇所にゲート口７ｃ，７０ｃを設ける位置関係として、実施例では突出部の端部側にゲート口７ｃ，７０ｃを設けていたが、ゲート口７ｃ，７０ｃの設置位置は端部位置に限らず、場合によっては中央位置に設定することも可能であり、また透視板７，７０に設けられる側壁７ａ，７０ａの奥行き寸法などに応じて突出部７ｂ，７０ｂの奥行きや幅寸法を設定すればよいものであり、その突出部７ｂ，７０ｂ箇所に合わせてゲート口７ｃ，７０ｃの設置位置を適宜設定すればよいものであり、また透視板７，７０の合成樹脂材料として実施例ではアクリル樹脂を用いていたがポリカーボネート樹脂など他の透視可能な樹脂によって形成してもよいものである。
【産業上の利用可能性】
【００４７】
また、前述した実施例などにおいて詳述したように、自動車などの車輌用の指示計器を例にして液晶表示装置を説明したが、車輌用計器に限らず船舶用計器あるいは農業用機械や建設機械などの特殊車輌の計器あるいは給湯器などのリモコン操作パネルに設けられた液晶表示装置、ビデオデッキやオーデオ機器など民生機器などにおいても適用することが可能である。
【符号の説明】
【００４８】
Ｒ    曲面形状
Ｔ１    肉薄部
Ｔ２    肉厚部
１    液晶表示装置
２    液晶表示器
２ａ，２ｂ    ガラス基板
２ｃ，２ｄ    偏光板
３    回路基板
３ａ    駆動回路
４    光源（発光ダイオード）
５    ホルダー
６    ケーシング
７    透視板
７ａ    側壁
７ｂ    突出部
７ｃ    ゲート口
６０    ケーシング部材
６１    フード状のケーシング部材
６１ａ    開口部
６１ｂ    防塵用リブ
７０    透視板
７０ａ    側壁
７０ｂ    突出部
７０ｃ    ゲート口
６００    ケーシング部材
６００ａ    防塵用リブ
６１０    枠状のケーシング部材
６１０ａ    開口部
【図１】
2011064840.tif 000003
【図２】
2011064840.tif 000004
【図３】
2011064840.tif 000005
【図４】
2011064840.tif 000006
【図５】
2011064840.tif 000007
【図６】
2011064840.tif 000008
【図７】
2011064840.tif 000009